(57)【要約】【課題】電力消費量を低減するとともに、他の装置への干渉を低減すること。【解決手段】送信電力制限値決定部１１２は、自装置の最大送信電力値Ｐ＿ｍａｘに基づいて、変調部１２６によって変調されて送信される送信信号の送信電力値Ｐを制限するための送信電力制限値Ｐ＿ｌｉｍｉｔを決定する。ランダムアクセス制御部１１８は、送信電力制限値Ｐ＿ｌｉｍｉｔに基づいて、送信信号の送信を制御する。変調部１２６は、ランダムアクセス制御部１１８による制御に従って、プリアンブル信号生成部１２２からのプリアンブル信号またはデータ信号生成部１２４からのデータ信号を変調して送信信号を生成する。変調部１２６は、送信信号を送信電力制御部１２０によって制御された送信電力値Ｐで送信する。【選択図】      図１
2004297186.tif 000002
【特許請求の範囲】
【請求項１】
送信相手局から肯定応答信号または否定応答信号を受信するまでプリアンブル信号を送信信号として繰り返し送信して、肯定応答信号または否定応答信号の受信結果に応じてデータ信号を送信信号として送信する送信装置であって、
送信信号の送信電力値を制限するための送信電力制限値を決定する決定手段と、
決定された送信電力制限値に基づいて送信信号の送信を制御する制御手段と、
を具備することを特徴とする送信装置。
【請求項２】
前記制御手段は、
プリアンブル信号の送信電力値を前記決定手段によって決定された送信電力制限値と比較する比較手段を具備し、
プリアンブル信号の送信電力値が送信電力制限値以上である場合に、プリアンブル信号の繰り返し送信を停止させることを特徴とする請求項１記載の送信装置。
【請求項３】
前記制御手段は、
肯定応答信号が受信された時のプリアンブル信号の送信電力値を前記決定手段によって決定された送信電力制限値と比較する比較手段を具備し、
プリアンブル信号の送信電力値が送信電力制限値以上である場合に、肯定応答信号が受信された後にデータ信号を送信させないことを特徴とする請求項１記載の送信装置。
【請求項４】
前記制御手段は、
データ信号の送信電力値を前記決定手段によって決定された送信電力制限値と比較する比較手段を具備し、
データ信号の送信電力値が送信電力制限値以上である場合に、データ信号の伝送レートを下げて送信信号の送信電力値を送信電力制限値以下に低下させることを特徴とする請求項１記載の送信装置。
【請求項５】
前記決定手段は、
自装置の最大送信電力値に基づいて送信電力制限値の決定を行うことを特徴とする請求項１記載の送信装置。
【請求項６】
前記決定手段は、
送信相手局からの報知情報に基づいて送信電力制限値の決定を行うことを特徴とする請求項１記載の送信装置。
【請求項７】
前記決定手段は、
受信信号の受信電力値に基づいて送信電力制限値の決定を行うことを特徴とする請求項１記載の送信装置。
【請求項８】
前記決定手段は、
少なくとも送信相手局を含む複数の通信局からの受信信号の受信電力値に基づいて送信電力制限値の決定を行うことを特徴とする請求項１記載の送信装置。
【請求項９】
送信相手局から肯定応答信号または否定応答信号を受信するまでプリアンブル信号を送信信号として繰り返し送信して、肯定応答信号または否定応答信号の受信結果に応じてデータ信号を送信信号として送信する送信装置における送信方法であって、
送信信号の送信電力値を制限するための送信電力制限値を決定する決定ステップと、
決定した送信電力制限値に基づいて送信信号の送信を制御する制御ステップと、
を具備することを特徴とする送信方法。
【発明の詳細な説明】
【０００１】
【発明の属する技術分野】
本発明は、送信装置および送信方法に関する。
【０００２】
【従来の技術】
ＣＤＭＡ（Ｃｏｄｅ  Ｄｉｖｉｓｉｏｎ  Ｍｕｌｔｉｐｌｅ  Ａｃｃｅｓｓ）方式（たとえば、Ｗ−ＣＤＭＡ（Ｗｉｄｅｂａｎｄ  −  Ｃｏｄｅ  Ｄｉｖｉｓｉｏｎ  Ｍｕｌｔｉｐｌｅ  Ａｃｃｅｓｓ）およびＩＳ−９５など）の無線通信システムにおける通信方式の一つとして、ランダムアクセス方式が挙げられる。ランダムアクセス方式において、データ信号（メッセージ部）の送信タイミングはランダムに決定される。そして、データ信号が送信信号として送信される前に、送信相手局から肯定応答信号（以下「ＡＣＫ信号」と言う）または否定応答信号（以下「ＮＡＣＫ信号」と言う）が受信されるまでプリアンブル信号が送信信号として送信される（たとえば特許文献１参照）。
【０００３】
以下、従来の送信装置について図面を用いて概説する。図１７は、従来の送信装置の構成の一例を示すブロック図である。図１７に示す送信装置１０は、受信アンテナ１２、復調部１４、ＡＣＫ／ＮＡＣＫ信号検出部１６、初期送信電力値決定部１８、最大送信電力値取得部２０、ランダムアクセス制御部２２、送信電力制御部２４、プリアンブル信号生成部２６、データ信号生成部２８、変調部３０および送信アンテナ３２を具備している。
【０００４】
復調部１４は、受信アンテナ１２を介して受信した受信信号を復調する。ＡＣＫ／ＮＡＣＫ信号検出部１６は、復調された受信信号においてＡＣＫ信号またはＮＡＣＫ信号を検出する。ＡＣＫ／ＮＡＣＫ信号検出部１６は、ＡＣＫ／ＮＡＣＫ信号の検出結果を出力する。
【０００５】
初期送信電力値決定部１８は、プリアンブル信号の初期送信電力値Ｐ＿ｉｎｉｔを決定する。最大送信電力値取得部２０は、送信装置１０における送信電力の最大値である最大送信電力値Ｐ＿ｍａｘを取得する。
【０００６】
ランダムアクセス制御部２２は、プリアンブル信号の送信電力値Ｐ＿ｐｒｅを初期送信電力値Ｐ＿ｉｎｉｔに設定する。ランダムアクセス制御部２２は、最大送信電力値Ｐ＿ｍａｘを設定する。ランダムアクセス制御部２２は、上記の設定およびＡＣＫ／ＮＡＣＫ信号の検出結果に基づいて、プリアンブル信号またはデータ信号を送信信号として送信する処理の制御を行う。
【０００７】
送信電力制御部２４は、ランダムアクセス制御部２２からの送信電力値Ｐ＿ｐｒｅまたは送信電力値Ｐ＿ｄａｔａに基づいて、変調部３０によって変調され送信アンテナ３２を介して送信される送信信号の送信電力値Ｐを制御する。送信電力値Ｐ＿ｐｒｅまたは送信電力値Ｐ＿ｄａｔａが最大送信電力値Ｐ＿ｍａｘ以下である場合に、送信電力値Ｐ＿ｐｒｅまたは送信電力値Ｐ＿ｄａｔａを送信電力値Ｐとする。送信電力値Ｐ＿ｐｒｅまたは送信電力値Ｐ＿ｄａｔａが最大送信電力値Ｐ＿ｍａｘより大きい場合に、最大送信電力値Ｐ＿ｍａｘを送信電力値Ｐとする。
【０００８】
プリアンブル信号生成部２６は、ランダムアクセス制御部２２からの指示に従って、プリアンブル信号を生成して出力する。データ信号生成部２８は、ランダムアクセス制御部２２からの指示に従って、データ信号を生成して出力する。変調部３０は、プリアンブル信号を変調して送信アンテナ３２を介して送信する。また、データ信号を変調して送信アンテナ３２を介して送信する。
【０００９】
次いで、上記構成を有する送信装置１０における送信信号の送信の動作の一例について図１８を用いて説明する。
【００１０】
最初のプリアンブル信号が送信信号として送信される時（ランダムアクセス試行期間の開始）、送信電力値Ｐ＿ｐｒｅは初期送信電力値Ｐ＿ｉｎｉｔに設定される。そして、最初のプリアンブル信号送信から時間間隔τ＿ｐａを空けて、ＡＣＫ信号またはＮＡＣＫ信号の検出が行われる。ＡＣＫ信号およびＮＡＣＫ信号のいずれも検出されなかった場合、最初のプリアンブル信号送信から時間間隔τ＿ｐｐ（τ＿ｐｐ＞τ＿ｐａ）を空けて、２回目のプリアンブル信号送信が行われる。この時、送信電力値Ｐ＿ｐｒｅは、前回のプリアンブル信号送信時の送信電力値Ｐ＿ｐｒｅに増加送信電力値Ｐ＿ｒａｍｐを加算することにより新たに算出される。以上の動作が、ＡＣＫ信号およびＮＡＣＫ信号のいずれかが受信されるまで繰り返される。
【００１１】
そして、ＡＣＫ信号およびＮＡＣＫ信号のいずれも受信されないまま、プリアンブル信号の送信電力値Ｐ＿ｐｒｅが、最大送信電力値Ｐ＿ｍａｘに所定の超過電力値Ｐ＿ｅｘを加算した値を上回った場合、送信装置１０は、送信相手局からＮＡＣＫ信号を受信したと判断してプリアンブル信号の繰り返し送信を停止する（ランダムアクセス試行期間の終了）。
【００１２】
続いて、送信装置１０における送信信号の送信の動作の他の例について図１９を用いて説明する。
【００１３】
図１９に示すように、たとえば６回目のプリアンブル信号送信の直後にＡＣＫ信号が検出された場合、ランダムアクセス試行期間は終了して、データ信号が送信信号として送信される（データ送信期間の開始）。この時、データ信号の送信電力値Ｐ＿ｄａｔａは、ＡＣＫ信号が受信された時のプリアンブル信号の送信電力値Ｐ＿ｐｒｅに加算電力値△Ｐ＿ｐｍを加算することにより算出される。
【００１４】
【特許文献１】
特開平１１−１５０５０９号公報
【００１５】
【発明が解決しようとする課題】
しかしながら、従来の送信装置および送信方法において、送信電力値Ｐ＿ｐｒｅが所定の値（Ｐ＿ｍａｘ＋Ｐ＿ｅｘ）に達しない限り、送信相手局からＡＣＫ信号およびＮＡＣＫ信号のいずれかを受信するまで、プリアンブル信号が送信信号として繰り返し送信される。それに伴って送信信号の送信電力値Ｐは上昇する。そして、ランダムアクセス試行期間において、送信信号の送信電力値Ｐは、最大送信電力値Ｐ＿ｍａｘに達した後は一定になる。さらに、プリアンブル信号が最大送信電力値Ｐ＿ｍａｘと同一または最大送信電力値Ｐ＿ｍａｘに近い送信電力値Ｐで送信信号として送信された結果としてＡＣＫ信号が受信された場合、データ信号も最大送信電力値Ｐ＿ｍａｘと同一または最大送信電力値Ｐ＿ｍａｘに近い送信電力値Ｐで送信信号として送信される。
【００１６】
ところが、送信信号が最大送信電力値Ｐ＿ｍａｘと同一または最大送信電力値Ｐ＿ｍａｘに近い送信電力値Ｐで送信される場合、送信装置１０の電力消費量が非常に大きいだけでなく、送信装置１０による他の装置への干渉が非常に大きいという問題があった。しかも、最大送信電力値Ｐ＿ｍａｘと同一の送信電力値Ｐでプリアンブル信号が送信信号として繰り返し送信されても、送信相手局からＡＣＫ信号およびＮＡＣＫ信号のいずれかを受信する確率の向上を見込むことはできないため、送信装置１０の電力を無駄に消費してしまうという問題があった。
【００１７】
本発明は、かかる点に鑑みてなされたものであり、電力消費量を低減することができるとともに、他の装置への干渉を低減することができる送信装置および送信方法を提供することを目的とする。
【００１８】
【課題を解決するための手段】
本発明の送信装置は、送信相手局から肯定応答信号または否定応答信号を受信するまでプリアンブル信号を送信信号として繰り返し送信して、肯定応答信号または否定応答信号の受信結果に応じてデータ信号を送信信号として送信する送信装置であって、送信信号の送信電力値を制限するための送信電力制限値を決定する決定手段と、決定された送信電力制限値に基づいて送信信号の送信を制御する制御手段と、を具備する構成を採る。
【００１９】
この構成によれば、送信信号の送信電力値を制限するための送信電力制限値を決定して、決定された送信電力制限値に基づいて送信信号の送信を制御するため、たとえば、自装置における最大送信電力値よりも小さい値を送信電力制限値として決定する場合に、送信信号の送信電力値が送信電力制限値を上回ることがないから、電力消費量を低減することができるとともに、他の装置への干渉を低減することができる。
【００２０】
本発明の送信装置は、上記構成において、前記制御手段が、プリアンブル信号の送信電力値を前記決定手段によって決定された送信電力制限値と比較する比較手段を具備し、プリアンブル信号の送信電力値が送信電力制限値以上である場合に、プリアンブル信号の繰り返し送信を停止させる構成を採る。
【００２１】
この構成によれば、上記効果に加えて、たとえば、自装置における最大送信電力値よりも小さい値を送信電力制限値として決定する場合、プリアンブル信号の送信電力値が送信電力制限値以上であるときに、否定応答信号が受信されたと判断されプリアンブル信号の繰り返し送信が停止されるため、プリアンブル信号の送信回数を低減することができるから、伝搬環境が悪いときの送信相手局の変更を早期に行うことができる。
【００２２】
本発明の送信装置は、上記構成において、前記制御手段が、肯定応答信号が受信された時のプリアンブル信号の送信電力値を前記決定手段によって決定された送信電力制限値と比較する比較手段を具備し、プリアンブル信号の送信電力値が送信電力制限値以上である場合に、肯定応答信号が受信された後にデータ信号を送信させない構成を採る。
【００２３】
この構成によれば、上記効果に加えて、たとえば、自装置における最大送信電力値よりも小さい値を送信電力制限値として決定する場合、肯定応答信号が受信された時のプリアンブル信号の送信電力値が送信電力制限値以上であるときに、否定応答信号が受信されたと判断され肯定応答信号が受信された後にデータ信号が送信されないため、データ信号を送信信号として送信電力制限値を上回る送信電力値で送信することが許可されてもそれを自発的に回避して他の装置への干渉を防止することができる。
【００２４】
本発明の送信装置は、上記構成において、前記制御手段が、データ信号の送信電力値を前記決定手段によって決定された送信電力制限値と比較する比較手段を具備し、データ信号の送信電力値が送信電力制限値以上である場合に、データ信号の伝送レートを下げて送信信号の送信電力値を送信電力制限値以下に低下させる構成を採る。
【００２５】
この構成によれば、上記効果に加えて、たとえば、自装置における最大送信電力値よりも小さい値を送信電力制限値として決定する場合、データ信号の送信電力値が送信電力制限値以上であるときに、データ信号の伝送レートを下げて送信信号の送信電力値が送信電力制限値以下に下げられるため、送信信号として送信されるデータ信号の品質を確保することができるとともに、送信相手局におけるシステム容量を送信信号の送信電力値を低下させた分だけ確保することができる。
【００２６】
本発明の送信装置は、上記構成において、前記決定手段が、自装置の最大送信電力値に基づいて送信電力制限値の決定を行う構成を採る。
【００２７】
この構成によれば、上記効果に加えて、たとえば、自装置における最大送信電力値よりも小さい値を送信電力制限値として決定する場合に、送信信号の送信電力値が送信電力制限値を上回ることがないから、電力消費量を低減することができるとともに、他の装置への干渉を低減することができる。
【００２８】
本発明の送信装置は、上記構成において、前記決定手段が、送信相手局からの報知情報に基づいて送信電力制限値の決定を行う構成を採る。
【００２９】
この構成によれば、上記効果に加えて、報知情報に基づいて送信電力制限値を決定するため、送信相手局におけるシステム容量に応じた送信信号の送信を行うことができるとともに自装置におけるシステム容量を有効利用することができる。
【００３０】
本発明の送信装置は、上記構成において、前記決定手段が、受信信号の受信電力値に基づいて送信電力制限値の決定を行う構成を採る。
【００３１】
この構成によれば、上記効果に加えて、受信信号の受信電力値に基づいて送信電力制限値を決定するため、伝搬環境に応じて送信信号の送信電力値を制御して最適な送信電力値を選択することができるとともに自装置におけるシステム容量を有効利用することができる。
【００３２】
本発明の送信装置は、上記構成において、前記決定手段が、少なくとも送信相手局を含む複数の通信局からの受信信号の受信電力値に基づいて送信電力制限値の決定を行う構成を採る。
【００３３】
この構成によれば、上記効果に加えて、少なくとも送信相手局を含む複数の通信局からの受信信号の受信電力値に基づいて送信電力制限値の決定を行うため、伝搬環境が悪いときの送信相手局の変更を早期に行うことができるだけでなく、電力消費量を低減することができるとともに、他の装置への干渉を低減することができる。
【００３４】
本発明の送信方法は、送信相手局から肯定応答信号または否定応答信号を受信するまでプリアンブル信号を送信信号として繰り返し送信して、肯定応答信号または否定応答信号の受信結果に応じてデータ信号を送信信号として送信する送信装置における送信方法であって、送信信号の送信電力値を制限するための送信電力制限値を決定する決定ステップと、決定した送信電力制限値に基づいて送信信号の送信を制御する制御ステップと、を具備するようにした。
【００３５】
この方法によれば、送信信号の送信電力値を制限するための送信電力制限値を決定して、決定した送信電力制限値に基づいて送信信号の送信を制御するため、たとえば、自装置における最大送信電力値よりも小さい値を送信電力制限値として決定する場合に送信信号の送信電力値が送信電力制限値を上回ることがないから、電力消費量を低減することができるとともに、他の装置への干渉を低減することができる。
【００３６】
【発明の実施の形態】
本発明の骨子は、送信信号の送信電力値を制限するための送信電力制限値を決定して、決定された送信電力制限値に基づいて送信信号の送信を制御することである。
【００３７】
以下、本発明の実施の形態について、図面を参照して詳細に説明する。
【００３８】
（実施の形態１）
図１は、本発明の実施の形態１に係る送信装置の構成を示すブロック図である。
【００３９】
図１に示す送信装置１００は、受信アンテナ１０２、復調部１０４、受信信号電力測定部１０６、初期送信電力値決定部１０８、最大送信電力値取得部１１０、送信電力制限値決定部１１２、送信回数取得部１１４、ＡＣＫ／ＮＡＣＫ信号検出部１１６、ランダムアクセス制御部１１８、送信電力制御部１２０、プリアンブル信号生成部１２２、データ信号生成部１２４、変調部１２６および送信アンテナ１２８を具備している。
【００４０】
復調部１０４は、受信アンテナ１０２を介して受信した受信信号に対して周波数変換処理および同期検波処理などを含む復調処理を行う。
【００４１】
受信信号電力測定部１０６は、復調部１０４からの受信信号の受信電力を常時測定することにより伝搬環境を推定して、受信電力値を生成する。受信電力が測定される受信信号の一例としては、送信相手局から送信されてくる共通信号が挙げられる。
【００４２】
初期送信電力値決定部１０８は、受信信号電力測定部１０６からの受信電力値に基づいてランダムアクセス制御部１１８における制御のパラメータである初期送信電力値Ｐ＿ｉｎｉｔを決定する。
【００４３】
最大送信電力値取得部１１０は、ランダムアクセス制御部１１８における制御の他のパラメータであり、かつ、送信装置１００（自装置）における送信電力の最大値である最大送信電力値Ｐ＿ｍａｘを取得する。
【００４４】
送信電力制限値決定部１１２は、最大送信電力値取得部１１０からの最大送信電力値Ｐ＿ｍａｘに基づいて、ランダムアクセス制御部１１８における制御の他のパラメータであり、かつ、変調部１２６によって変調され送信アンテナ１２８を介して送信される送信信号の送信電力値Ｐを制限するために用いられる送信電力制限値Ｐ＿ｌｉｍｉｔを決定する。また、自装置の最大送信電力値Ｐ＿ｍａｘより小さい値を送信電力制限値Ｐ＿ｌｉｍｉｔとして決定する。ここで、この送信電力制限値Ｐ＿ｌｉｍｉｔは、送信装置１００における送信電力の擬似的な最大値としてみなされ、比較的高い送信電力値Ｐでの送信信号の送信の回避を可能にするものである。
【００４５】
送信回数取得部１１４は、ランダムアクセス制御部１１８における制御の他のパラメータであり、かつ、プリアンブル信号が送信信号として送信される期間（ランダムアクセス試行期間）におけるプリアンブル信号の送信回数Ｎを取得する。
【００４６】
ＡＣＫ／ＮＡＣＫ信号検出部１１６は、復調部１０４からの受信信号からＡＣＫ信号またはＮＡＣＫ信号の成分を抽出することにより、送信相手局からのＡＣＫ信号またはＮＡＣＫ信号を検出する。ＡＣＫ信号を検出した場合にＡＣＫ信号が受信されたことを示すＡＣＫ／ＮＡＣＫ信号検出結果を出力する。また、ＮＡＣＫ信号を検出した場合にＮＡＣＫ信号が受信されたことを示すＡＣＫ／ＮＡＣＫ信号検出結果を出力する。また、ＡＣＫ信号およびＮＡＣＫ信号のいずれも検出されなかった場合にＡＣＫ信号およびＮＡＣＫ信号のいずれも受信されなかったことを示すＡＣＫ／ＮＡＣＫ信号検出結果を出力する。ここで、ＡＣＫ信号の受信は、送信相手局が送信装置１００からのアクセスを受領したことを意味する。
【００４７】
ランダムアクセス制御部１１８は、送信電力制限値決定部１１２からの送信電力制限値Ｐ＿ｌｉｍｉｔに基づいて、変調部１２６によって変調され送信アンテナ１２８を介して送信される送信信号の送信を制御する。また、プリアンブル信号の送信の指示をプリアンブル信号生成部１２２に出力する。また、データ信号の送信の指示をデータ信号生成部１２４に出力する。また、プリアンブル信号の送信電力値Ｐ＿ｐｒｅまたはデータ信号の送信電力値Ｐ＿ｄａｔａを算出して送信電力制御部１２０に出力する。なお、ランダムアクセス制御部１１８の具体的な制御動作については後述する。
【００４８】
送信電力制御部１２０は、ランダムアクセス制御部１１８からの送信電力値Ｐ＿ｐｒｅまたは送信電力値Ｐ＿ｄａｔａに基づいて、送信信号の送信電力値Ｐを制御する。より具体的には、送信電力値Ｐ＿ｐｒｅまたは送信電力値Ｐ＿ｄａｔａが最大送信電力値Ｐ以下である場合に、送信電力値Ｐ＿ｐｒｅまたは送信電力値Ｐ＿ｄａｔａを送信電力値Ｐとする。また、送信電力値Ｐ＿ｐｒｅまたは送信電力値Ｐ＿ｄａｔａが最大送信電力値Ｐ＿ｍａｘより大きい場合に、最大送信電力値Ｐ＿ｍａｘを送信電力値Ｐとする。
【００４９】
プリアンブル信号生成部１２２は、ランダムアクセス制御部１１８からの指示に従って、プリアンブル信号を生成して出力する。
【００５０】
データ信号生成部１２４は、ランダムアクセス制御部１１８からの指示に従って、データ信号を生成して出力する。
【００５１】
変調部１２６は、プリアンブル信号生成部１２２からのプリアンブル信号に対して符号化ビットの付加およびインターリーブ処理などを含む所定の変調処理を行うことにより送信信号を生成する。また、送信電力制御部１２０によって制御された送信電力値Ｐで送信信号を送信アンテナ１２８を介して送信相手局に送信する。
【００５２】
次いで、上記ランダムアクセス制御部１１８の具体的な制御動作について説明する。図２は、ランダムアクセス制御部１１８の動作の一例を説明するためのフロー図である。
【００５３】
まず、ステップＳ２０２において、プリアンブル信号の送信電力値Ｐ＿ｐｒｅを、初期送信電力値Ｐ＿ｉｎｉｔに設定して送信電力制御部１２０に出力する。そして、ステップＳ２０４において、最大送信電力値Ｐ＿ｍａｘを設定する。そして、ステップＳ２０６において、送信電力制限値Ｐ＿ｌｉｍｉｔを設定する。そして、ステップＳ２０８において、プリアンブル信号の送信回数Ｎを設定する。
【００５４】
そして、ステップＳ２１０において、プリアンブル信号の送信の指示をプリアンブル信号生成部１２２に出力する。プリアンブル信号の送信の指示は最大でＮ回繰り返され、これによってプリアンブル信号は最大でＮ回繰り返し送信される。
【００５５】
そして、ステップＳ２１２において、送信電力値Ｐ＿ｐｒｅを送信電力制限値Ｐ＿ｌｉｍｉｔと比較して送信電力値Ｐ＿ｐｒｅが送信電力制限値Ｐ＿ｌｉｍｉｔ以下であるか否かを判定する。そして、送信電力値Ｐ＿ｐｒｅが送信電力制限値Ｐ＿ｌｉｍｉｔ以下である場合（Ｓ２１２：ＹＥＳ）、ステップＳ２１４において、ＡＣＫ／ＮＡＣＫ信号検出結果を受信する。一方、送信電力値Ｐ＿ｐｒｅが送信電力制限値Ｐ＿ｌｉｍｉｔより大きい場合（Ｓ２１２：ＮＯ）、ＮＡＣＫ信号が受信されたと判断して（ステップＳ２１３）、判断の結果を上位層（つまりレイヤー２およびレイヤー３）に通知する。また、プリアンブル信号の繰り返し送信を停止させる。
【００５６】
そして、ステップＳ２１６において、ＡＣＫ／ＮＡＣＫ信号検出結果を用いて、ＡＣＫ信号またはＮＡＣＫ信号を受信したか否かを判定する。
【００５７】
ＡＣＫ信号またはＮＡＣＫ信号が受信された場合（Ｓ２１６：ＹＥＳ）、ステップＳ２１８において、ＡＣＫ／ＮＡＣＫ信号検出結果を用いて、ＡＣＫ信号が受信されたか否かを判定する。
【００５８】
ＡＣＫ信号が受信された場合（Ｓ２１８：ＹＥＳ）、受信の結果を上位層に通知して、ステップＳ２２０において、データ信号の送信の指示をデータ信号生成部１２４に出力する。そして、ステップＳ２２２において、現在のプリアンブル信号の送信電力値Ｐ＿ｐｒｅに所定の加算電力値△Ｐ＿ｐｍを加算することによりデータ信号の送信電力値Ｐ＿ｄａｔａを算出して送信電力制御部１２０に出力する。一方、ＮＡＣＫ信号が受信された場合（Ｓ２１８：ＮＯ）、受信の結果を上位層に通知して、プリアンブル信号の繰り返し送信を停止させ、かつ、データ信号を送信させない。
【００５９】
また、ＡＣＫ信号およびＮＡＣＫ信号のいずれも受信されなかった場合（Ｓ２１６：ＮＯ）、ステップＳ２２４において、プリアンブル信号の繰り返し送信の開始からプリアンブル信号がＮ回送信されたか否かを判定する。
【００６０】
プリアンブル信号がＮ回送信されている場合（Ｓ２２４：ＹＥＳ）、ＮＡＣＫ信号を受信したと判断して（ステップＳ２１３）、判断の結果を上位層に通知して、プリアンブル信号の繰り返し送信を停止させる。一方、プリアンブル信号がまだＮ回送信されていない場合（Ｓ２２４：ＹＥＳ）、ステップＳ２２６において、現在のプリアンブル信号の送信電力値Ｐ＿ｐｒｅに所定の増加送信電力値Ｐ＿ｒａｍｐを加算する。このようにして、次回のプリアンブル信号の送信電力値Ｐ＿ｐｒｅを算出して送信電力制御部１２０に出力する。そして、ステップＳ２１０における動作を再度実行する。
【００６１】
次いで、上記構成を有する送信装置１００の動作の一例について説明する。図３は、送信装置１００の動作の一例を説明するための図である。
【００６２】
最初のプリアンブル信号が送信信号として送信される時（ランダムアクセス試行期間の開始）、送信電力値Ｐ＿ｐｒｅは初期送信電力値Ｐ＿ｉｎｉｔに設定される。そして、最初のプリアンブル信号送信から所定の時間間隔を空けて、ＡＣＫ信号またはＮＡＣＫ信号の検出が行われる。ＡＣＫ信号およびＮＡＣＫ信号のいずれも検出されなかった場合、最初のプリアンブル信号送信から所定の時間間隔を空けて、２回目のプリアンブル信号送信が行われる。この時、送信電力値Ｐ＿ｐｒｅは、前回のプリアンブル信号送信時の送信電力値Ｐ＿ｐｒｅに増加送信電力値Ｐ＿ｒａｍｐを加算することにより新たに算出される。以上の動作が、ＡＣＫ信号およびＮＡＣＫ信号のいずれかが受信されるまで繰り返される。
【００６３】
そして、たとえば５回目のプリアンブル信号送信の時の送信電力値Ｐ＿ｐｒｅが送信電力制限値Ｐ＿ｌｉｍｉｔを上回る。このとき、ＡＣＫ／ＮＡＣＫ信号検出結果に関わらず、ＮＡＣＫ信号が受信されたと判断される。そして、プリアンブル信号の繰り返し送信が停止される（ランダムアクセス試行期間の終了）。
【００６４】
このように、実施の形態１によれば、送信信号の送信電力値Ｐを制限するための送信電力制限値Ｐ＿ｌｉｍｉｔを決定して、決定された送信電力制限値Ｐ＿ｌｉｍｉｔに基づいて送信信号の送信を制御するため、送信信号の送信電力値Ｐが送信電力制限値Ｐ＿ｌｉｍｉｔを上回ることがないから、電力消費量を低減することができるとともに、他の装置への干渉を低減することができる。
【００６５】
また、実施の形態１によれば、上記効果に加えて、ランダムアクセス試行期間において送信電力値Ｐ＿ｐｒｅが送信電力制限値Ｐ＿ｌｉｍｉｔを上回る場合にＮＡＣＫ信号が受信されたと判断されプリアンブル信号の繰り返し送信が停止されるため、プリアンブル信号の送信回数を軽減することができるから、伝搬環境が悪いときの送信相手局の変更を早期に行うことができる。
【００６６】
また、実施の形態１によれば、上記効果に加えて、自装置の最大送信電力値Ｐ＿ｍａｘよりも小さい値を送信電力制限値Ｐ＿ｌｉｍｉｔとして決定するため、送信信号の送信電力値Ｐが送信電力制限値Ｐ＿ｌｉｍｉｔを上回ることがないから、電力消費量を低減することができるとともに、他の装置への干渉を低減することができる。
【００６７】
（実施の形態２）
図４は、本発明の実施の形態２に係る送信装置の構成を示すブロック図である。なお、実施の形態２に係る送信装置は、実施の形態１において説明した送信装置１００と同様の基本的構成を有しており、同一の構成要素には同一の参照符号を付し、その説明を省略する。
【００６８】
図４に示す送信装置４００は、図１に示す送信装置１００における送信電力制限値決定部１１２の代わりに、報知情報取得部４０２および送信電力制限値決定部４０４を具備する。
【００６９】
報知情報取得部４０２は、復調部１０４からの受信信号から報知情報を抽出する。報知情報は、送信相手局から送信され、かつ、送信相手局のシステム情報などを通知するためのものである。
【００７０】
送信電力制限値決定部４０４は、報知情報取得部４０２からの報知情報に基づいて、ランダムアクセス制御部１１８における制御のパラメータの一つであり、かつ、変調部１２６によって変調され送信アンテナ１２８を介して送信される送信信号の送信電力値Ｐを制限するために用いられる送信電力制限値Ｐ＿ｌｉｍｉｔを決定する。また、自装置の最大送信電力値Ｐ＿ｍａｘより小さい値を送信電力制限値Ｐ＿ｌｉｍｉｔとして決定する。ここで、この送信電力制限値Ｐ＿ｌｉｍｉｔは、送信装置４００における送信電力の擬似的な最大値としてみなされ、比較的高い送信電力値Ｐでの送信信号の送信の回避を可能にするものである。
【００７１】
なお、送信電力制限値Ｐ＿ｌｉｍｉｔは、報知情報だけでなくランダムアクセス制御部１１８がＮＡＣＫ信号が受信されたと判断した回数またはその頻度に基づいて決定されても良い。この場合、周囲に通信可能な通信局が一つしかない場合および伝搬環境が悪い場合においてもＡＣＫ信号またはＮＡＣＫ信号の受信確率が向上するように送信電力制限値Ｐ＿ｌｉｍｉｔを調整することができる。
【００７２】
このように、実施の形態２によれば、実施の形態１における効果に加えて、送信相手局からの報知情報に基づいて送信電力制限値Ｐ＿ｌｉｍｉｔを決定するため、送信相手局におけるシステム容量に応じた送信信号の送信を行うことができるとともに自装置におけるシステム容量を有効利用することができる。
【００７３】
（実施の形態３）
図５は、本発明の実施の形態３に係る送信装置の構成を示すブロック図である。なお、実施の形態３に係る送信装置は、実施の形態１において説明した送信装置１００と同様の基本的構成を有しており、同一の構成要素には同一の参照符号を付し、その説明を省略する。
【００７４】
図５に示す送信装置５００は、図１に示す送信装置１００における送信電力制限値決定部１１２の代わりに、送信電力制限値決定部５０２を具備する。
【００７５】
送信電力制限値決定部５０２は、受信信号電力測定部１０６からの受信電力値に基づいて、ランダムアクセス制御部１１８における制御のパラメータの一つであり、かつ、変調部１２６によって変調され送信アンテナ１２８を介して送信される送信信号の送信電力値Ｐを制限するために用いられる送信電力制限値Ｐ＿ｌｉｍｉｔを決定する。また、自装置の最大送信電力値Ｐ＿ｍａｘより小さい値を送信電力制限値Ｐ＿ｌｉｍｉｔとして決定する。ここで、この送信電力制限値Ｐ＿ｌｉｍｉｔは、送信装置５００における送信電力の擬似的な最大値としてみなされ、比較的高い送信電力値Ｐでの送信信号の送信の回避を可能にするものである。
【００７６】
なお、送信電力制限値Ｐ＿ｌｉｍｉｔは、報知情報だけでなくランダムアクセス制御部１１８がＮＡＣＫ信号が受信されたと判断した回数またはその頻度に基づいて決定されても良い。この場合、周囲に通信可能な送信相手局が一つしかない場合および伝搬環境が悪い場合においてもＡＣＫ信号またはＮＡＣＫ信号の受信確率が向上するように送信電力制限値Ｐ＿ｌｉｍｉｔを調整することができる。
【００７７】
このように、実施の形態３によれば、実施の形態１における効果に加えて、受信信号の受信電力値に基づいて送信電力制限値Ｐ＿ｌｉｍｉｔを決定するため、伝搬環境に応じて送信信号の送信電力値Ｐを制御して最適な送信電力値Ｐを選択することができるとともに自装置におけるシステム容量を有効利用することができる。
【００７８】
（実施の形態４）
図６は、本発明の実施の形態４に係る送信装置の構成を示すブロック図である。なお、実施の形態４に係る送信装置は、実施の形態１において説明した送信装置１００と同様の基本的構成を有しており、同一の構成要素には同一の参照符号を付し、その説明を省略する。
【００７９】
図６に示す送信装置６００は、図１に示すランダムアクセス制御部１１８の代わりにランダムアクセス制御部６０２を具備する。
【００８０】
ランダムアクセス制御部６０２は、送信電力制限値決定部１１２からの送信電力制限値Ｐ＿ｌｉｍｉｔに基づいて、変調部１２６によって変調され送信アンテナ１２８を介して送信される送信信号の送信を制御する。また、プリアンブル信号の送信の指示をプリアンブル信号生成部１２２に出力する。また、データ信号の送信の指示をデータ信号生成部１２４に出力する。また、プリアンブル信号の送信電力値Ｐ＿ｐｒｅまたはデータ信号の送信電力値Ｐ＿ｄａｔａを算出して送信電力制御部１２０に出力する。
【００８１】
次いで、上記ランダムアクセス制御部６０２の具体的な制御動作について説明する。図７は、ランダムアクセス制御部６０２の動作の一例を説明するためのフロー図である。
【００８２】
ランダムアクセス制御部６０２による制御の初期の動作は、実施の形態１において説明したランダムアクセス制御部１１８のステップＳ２０２からステップＳ２１０までの動作と同一である。
【００８３】
ステップＳ２１０に続いて、ステップＳ２１４において、ＡＣＫ／ＮＡＣＫ信号検出結果を受信する。そして、ステップＳ２１６において、ＡＣＫ／ＮＡＣＫ信号検出結果を用いて、ＡＣＫ信号またはＮＡＣＫ信号を受信したか否かを判定する。
【００８４】
ＡＣＫ信号またはＮＡＣＫ信号が受信された場合（Ｓ２１６：ＹＥＳ）、ステップＳ７０２において、送信電力値Ｐ＿ｐｒｅを送信電力制限値Ｐ＿ｌｉｍｉｔと比較して送信電力値Ｐ＿ｐｒｅが送信電力制限値Ｐ＿ｌｉｍｉｔ以下であるか否かを判定する。そして、送信電力値Ｐ＿ｐｒｅが送信電力制限値Ｐ＿ｌｉｍｉｔ以下である場合（Ｓ７０２：ＹＥＳ）、ランダムアクセス制御部１１８と同様に、ステップＳ２１８からステップＳ２２２までの動作を実行する。一方、送信電力値Ｐ＿ｐｒｅが送信電力制限値Ｐ＿ｌｉｍｉｔより大きい場合（Ｓ７０２：ＮＯ）、ＮＡＣＫ信号が受信されたと判断して（ステップＳ７０３）、判断の結果を上位層に通知して、プリアンブル信号の繰り返し送信を停止させる。
【００８５】
また、ＡＣＫ信号およびＮＡＣＫ信号のいずれも受信されなかった場合（Ｓ２１６：ＮＯ）、ステップＳ２２４において、プリアンブル信号の繰り返し送信の開始からプリアンブル信号がＮ回送信されたか否かを判定する。
【００８６】
プリアンブル信号がＮ回送信されている場合（Ｓ２２４：ＹＥＳ）、プリアンブル信号の繰り返し送信を停止させる。一方、プリアンブル信号がまだＮ回送信されていない場合（Ｓ２２４：ＮＯ）、ステップＳ７０４において、プリアンブル信号の送信電力値Ｐ＿ｐｒｅが最大送信電力値Ｐ＿ｍａｘに所定の超過電力値Ｐ＿ｅｘを加算した値より大きいか否かを判定する。
【００８７】
プリアンブル信号の送信電力値Ｐ＿ｐｒｅが最大送信電力値Ｐ＿ｍａｘに所定の超過電力値Ｐ＿ｅｘを加算した値より大きい場合（Ｓ７０４：ＹＥＳ）、ＮＡＣＫ信号を受信したと判断して（ステップＳ７０３）、判断の結果を上位層に通知して、プリアンブル信号の繰り返し送信を停止させる。一方、プリアンブル信号の送信電力値Ｐ＿ｐｒｅが最大送信電力値Ｐ＿ｍａｘに所定の超過電力値Ｐ＿ｅｘを加算した値以下である場合（Ｓ７０４：ＮＯ）、ステップＳ２２６において、現在のプリアンブル信号の送信電力値Ｐ＿ｐｒｅに所定の増加送信電力値Ｐ＿ｒａｍｐを加算する。このようにして、次回のプリアンブル信号の送信電力値Ｐ＿ｐｒｅを算出して送信電力制御部１２０に出力する。そして、ステップＳ２１０における動作を再度実行する。
【００８８】
次いで、上記構成を有する送信装置６００の動作の一例について説明する。図８は、送信装置６００の動作の一例を説明するための図である。
【００８９】
最初のプリアンブル信号が送信信号として送信される時（ランダムアクセス試行期間の開始）、送信電力値Ｐ＿ｐｒｅは初期送信電力値Ｐ＿ｉｎｉｔに設定される。そして、最初のプリアンブル信号送信から所定の時間間隔を空けて、ＡＣＫ信号またはＮＡＣＫ信号の検出が行われる。ＡＣＫ信号およびＮＡＣＫ信号のいずれも検出されなかった場合、最初のプリアンブル信号送信から所定の時間間隔を空けて、２回目のプリアンブル信号送信が行われる。この時、送信電力値Ｐ＿ｐｒｅは、前回のプリアンブル信号送信時の送信電力値Ｐ＿ｐｒｅに増加送信電力値Ｐ＿ｒａｍｐを加算することにより新たに算出される。以上の動作が、ＡＣＫ信号およびＮＡＣＫ信号のいずれかが受信されるまで繰り返される。
【００９０】
そして、たとえば６回目のプリアンブル信号送信の直後にＡＣＫ信号が受信される。このとき、現在のプリアンブル信号の送信電力値Ｐ＿ｐｒｅを送信電力制限値Ｐ＿ｍａｘと比較することにより、送信電力値Ｐ＿ｐｒｅが送信電力制限値Ｐ＿ｌｉｍｉｔ以下であるか否かが判定される。ＡＣＫ／ＮＡＣＫ信号検出結果はＡＣＫ信号が受信されたことを示しているが、送信電力値Ｐ＿ｐｒｅが送信電力制限値Ｐ＿ｌｉｍｉｔより大きいため、ＮＡＣＫ信号が受信されたと判断される。そして、プリアンブル信号の繰り返し送信が停止され（ランダムアクセス試行期間の終了）、データ信号は送信されない。
【００９１】
このように、実施の形態４によれば、送信信号の送信電力値Ｐを制限するための送信電力制限値Ｐ＿ｌｉｍｉｔを決定して、決定された送信電力制限値Ｐ＿ｌｉｍｉｔに基づいて送信信号の送信を制御するため、送信信号の送信電力値Ｐが送信電力制限値Ｐ＿ｌｉｍｉｔを上回ることがないから、電力消費量を低減することができるとともに、他の装置への干渉を低減することができる。
【００９２】
また、実施の形態４によれば、上記効果に加えて、ＡＣＫ信号が受信された時のプリアンブル信号の送信電力値Ｐ＿ｐｒｅが送信電力制限値Ｐ＿ｌｉｍｉｔを上回る場合にＮＡＣＫ信号が受信されたと判断されＡＣＫ信号が受信された後にデータ信号が送信されないため、データ信号を送信信号として送信電力制限値Ｐ＿ｌｉｍｉｔを上回る送信電力値Ｐで送信することが許可されてもそれを自発的に回避して他の装置への干渉を防止することができる。
【００９３】
また、実施の形態４によれば、上記効果に加えて、自装置の最大送信電力値Ｐ＿ｍａｘよりも小さい値を送信電力制限値Ｐ＿ｌｉｍｉｔとして決定するため、送信信号の送信電力値Ｐが送信電力制限値Ｐ＿ｌｉｍｉｔを上回ることがないから、電力消費量を低減することができるとともに、他の装置への干渉を低減することができる。
【００９４】
（実施の形態５）
図９は、本発明の実施の形態５に係る送信装置の構成を示すブロック図である。なお、実施の形態５に係る送信装置は、実施の形態１において説明した送信装置１００と同様の基本的構成を有しており、同一の構成要素には同一の参照符号を付し、その説明を省略する。
【００９５】
図９に示す送信装置９００は、図１に示す送信装置１００における送信電力制限値決定部１１２およびランダムアクセス制御部１１８の代わりに、実施の形態２において説明した送信装置４００の報知情報取得部４０２および送信電力制限値決定部４０４ならびに実施の形態４において説明した送信装置６００のランダムアクセス制御部６０２を具備する。
【００９６】
すなわち、送信装置９００は、実施の形態２に係る送信装置４００を実施の形態４に係る送信装置６００に適用したものである。
【００９７】
このように、実施の形態５によれば、実施の形態４における効果に加えて、送信相手局からの報知情報に基づいて送信電力制限値Ｐ＿ｌｉｍｉｔを決定するため、送信相手局におけるシステム容量に応じた送信信号の送信を行うことができるとともに自装置におけるシステム容量を有効利用することができる。
【００９８】
（実施の形態６）
図１０は、本発明の実施の形態６に係る送信装置の構成を示すブロック図である。なお、実施の形態６に係る送信装置は、実施の形態１において説明した送信装置１００と同様の基本的構成を有しており、同一の構成要素には同一の参照符号を付し、その説明を省略する。
【００９９】
図１０に示す送信装置１０００は、図１に示す送信装置１００における送信電力制限値決定部１１２およびランダムアクセス制御部１１８の代わりに、実施の形態３において説明した送信装置５００の送信電力制限値決定部５０２および実施の形態４において説明した送信装置６００のランダムアクセス制御部６０２を具備する。
【０１００】
すなわち、送信装置１０００は、実施の形態３に係る送信装置５００を実施の形態４に係る送信装置６００に適用したものである。
【０１０１】
このように、実施の形態６によれば、実施の形態４における効果に加えて、受信信号の受信電力値に基づいて送信電力制限値Ｐ＿ｌｉｍｉｔを決定するため、伝搬環境に応じて送信信号の送信電力値Ｐを制御して最適な送信電力値Ｐを選択することができるとともに自装置におけるシステム容量を有効利用することができる。
【０１０２】
（実施の形態７）
図１１は、本発明の実施の形態７に係る送信装置の構成を示すブロック図である。なお、実施の形態７に係る送信装置は、実施の形態１において説明した送信装置１００と同様の基本的構成を有しており、同一の構成要素には同一の参照符号を付し、その説明を省略する。
【０１０３】
図１１に示す送信装置１１００は、図１に示す送信装置１００におけるランダムアクセス制御部１１８の代わりに、ランダムアクセス制御部１１０２を具備する。
【０１０４】
ランダムアクセス制御部１１０２は、送信電力制限値決定部１１２からの送信電力制限値Ｐ＿ｌｉｍｉｔに基づいて、変調部１２６によって変調され送信アンテナ１２８を介して送信される送信信号の送信を制御する。また、プリアンブル信号の送信の指示をプリアンブル信号生成部１２２に出力する。また、データ信号の送信の指示をデータ信号生成部１２４に出力する。また、プリアンブル信号の送信電力値Ｐ＿ｐｒｅまたはデータ信号の送信電力値Ｐ＿ｄａｔａを算出して送信電力制御部１２０に出力する。
【０１０５】
また、ランダムアクセス制御部１１０２は、データ信号の送信の指示を出力する場合に、算出されたデータ信号の送信電力値Ｐ＿ｄａｔａが送信電力制限値Ｐ＿ｌｉｍｉｔを上回るか否かを判定する。送信電力値Ｐ＿ｄａｔａが送信電力制限値Ｐ＿ｌｉｍｉｔを上回る場合、送信信号の送信電力Ｐが送信電力制限値Ｐ＿ｌｉｍｉｔ以下まで低下するために必要なデータ信号の伝送レートを算出してデータ信号生成部１２４に出力する。これは、データ信号の伝送レートが低くなると送信信号の送信の際に必要な電力が低減する性質を有するためである。
【０１０６】
次いで、上記ランダムアクセス制御部１１０２の具体的な制御動作について説明する。図１２は、ランダムアクセス制御部１１０２の動作の一例を説明するためのフロー図である。
【０１０７】
ランダムアクセス制御部１１０２による制御の初期の動作は、実施の形態４において説明したランダムアクセス制御部１１０２のステップＳ２０２からステップＳ２１６までの動作と同一である。
【０１０８】
そして、ＡＣＫ信号およびＮＡＣＫ信号のいずれも受信されなかった場合（Ｓ２１６：ＮＯ）において、ランダムアクセス制御部１１０２のステップＳ２１６の後の動作は、実施の形態４において説明したランダムアクセス制御部６０２のステップＳ２２４、Ｓ７０３、Ｓ７０４、Ｓ２２６の動作と同一である。一方、ＡＣＫ信号またはＮＡＣＫ信号が受信された場合（Ｓ２１６：ＹＥＳ）において、ランダムアクセス制御部１１０２のステップＳ２１６の後の動作は、実施の形態１において説明したランダムアクセス制御部１１８のステップＳ２１８、Ｓ２２０、Ｓ２２２の動作と同一である。
【０１０９】
そして、ステップＳ２２２に続いて、ステップＳ１２０２において、送信電力値Ｐ＿ｄａｔａを送信電力制限値Ｐ＿ｌｉｍｉｔと比較して送信電力値Ｐ＿ｄａｔａが送信電力制限値Ｐ＿ｌｉｍｉｔを上回るか否かを判定する。送信電力値Ｐ＿ｄａｔａが送信電力制限値Ｐ＿ｌｉｍｉｔを上回る場合（Ｓ１２０２：ＹＥＳ）、ステップＳ１２０４において送信信号の送信電力Ｐが送信電力制限値Ｐ＿ｌｉｍｉｔ以下まで低下するために必要なデータ信号の伝送レートを算出してデータ信号生成部１２４に出力する。一方、送信電力値Ｐ＿ｄａｔａが送信電力制限値Ｐ＿ｌｉｍｉｔ以下である場合（Ｓ１２０２：ＮＯ）、伝送レートの調整を行わない。
【０１１０】
次いで、上記構成を有する送信装置１１００の動作の一例について説明する。図１３は、送信装置１１００の動作の一例を説明するための図である。
【０１１１】
最初のプリアンブル信号が送信信号として送信される時（ランダムアクセス試行期間の開始）、送信電力値Ｐ＿ｐｒｅは初期送信電力値Ｐ＿ｉｎｉｔに設定される。そして、最初のプリアンブル信号送信から所定の時間間隔を空けて、ＡＣＫ信号またはＮＡＣＫ信号の検出が行われる。ＡＣＫ信号およびＮＡＣＫ信号のいずれも検出されなかった場合、最初のプリアンブル信号送信から所定の時間間隔を空けて、２回目のプリアンブル信号送信が行われる。この時、送信電力値Ｐ＿ｐｒｅは、前回のプリアンブル信号送信時の送信電力値Ｐ＿ｐｒｅに増加送信電力値Ｐ＿ｒａｍｐを加算することにより新たに算出される。以上の動作が、ＡＣＫ信号およびＮＡＣＫ信号のいずれかが受信されるまで繰り返される。
【０１１２】
そして、たとえば６回目のプリアンブル信号送信の直後にＡＣＫ信号が受信される。このとき、現在のプリアンブル信号の送信電力値Ｐ＿ｐｒｅに所定の加算電力値△Ｐ＿ｐｍを加算することによりデータ信号の送信電力値Ｐ＿ｄａｔａが算出される。そして、送信電力値Ｐ＿ｄａｔａが送信電力制限値Ｐ＿ｌｉｍｉｔを上回るか否かが判定される。
【０１１３】
ここでは、送信電力値Ｐ＿ｄａｔａが送信電力制限値Ｐ＿ｌｉｍｉｔを上回るので、送信信号の送信電力値Ｐが送信電力制限値Ｐ＿ｌｉｍｉｔ以下まで低下するために必要なデータ信号の伝送レートが算出される。これによって、データ信号が送信信号として送信されるデータ送信期間において、伝送レートが下げられた後の送信信号の実際の送信電力値Ｐは、送信電力制限値Ｐ＿ｌｉｍｉｔより低い値（送信電力値Ｐ＿ｔｒ）となる。つまり、送信電力値Ｐ＿ｄａｔａおよび送信電力値Ｐ＿ｔｒの差である電力値Ｐ＿ｉｏｒは、信号の送受信時に干渉を発生させる電力として見積もられている。
【０１１４】
このように、実施の形態７によれば、送信信号の送信電力値Ｐを制限するための送信電力制限値Ｐ＿ｌｉｍｉｔを決定して、決定された送信電力制限値Ｐ＿ｌｉｍｉｔに基づいて送信信号の送信を制御するため、送信信号の送信電力値Ｐが送信電力制限値Ｐ＿ｌｉｍｉｔを上回ることがないから、電力消費量を低減することができるとともに、他の装置への干渉を低減することができる。
【０１１５】
また、実施の形態７によれば、上記効果に加えて、データ送信期間においてデータ信号の送信電力値Ｐ＿ｄａｔａが送信電力制限値Ｐ＿ｌｉｍｉｔを上回る場合に、データ信号の伝送レートが下げされて送信信号の送信電力値Ｐが送信電力値Ｐ＿ｌｉｍｉｔ以下に下げられるため、送信信号として送信されるデータ信号の品質を確保することができるとともに、送信相手局におけるシステム容量を電力値Ｐ＿ｉｏｒだけ確保することができる。
【０１１６】
また、実施の形態７によれば、上記効果に加えて、自装置の最大送信電力値Ｐ＿ｍａｘよりも小さい値を送信電力制限値Ｐ＿ｌｉｍｉｔとして決定するため、送信信号の送信電力値Ｐが送信電力制限値Ｐ＿ｌｉｍｉｔを上回ることがないから、電力消費量を低減することができるとともに、他の装置への干渉を低減することができる。
【０１１７】
（実施の形態８）
図１４は、本発明の実施の形態８に係る送信装置の構成を示すブロック図である。なお、実施の形態８に係る送信装置は、実施の形態１において説明した送信装置１００と同様の基本的構成を有しており、同一の構成要素には同一の参照符号を付し、その説明を省略する。
【０１１８】
図１４に示す送信装置１４００は、図１に示す送信装置１００における送信電力制限値決定部１１２およびランダムアクセス制御部１１８の代わりに、実施の形態２において説明した送信装置４００の報知情報取得部４０２および送信電力制限値決定部４０４ならびに実施の形態７において説明した送信装置１１００のランダムアクセス制御部１１０２を具備する。
【０１１９】
すなわち、送信装置１４００は、実施の形態２に係る送信装置４００を実施の形態７に係る送信装置１１００に適用したものである。
【０１２０】
このように、実施の形態８によれば、実施の形態７における効果に加えて、送信相手局からの報知情報に基づいて送信電力制限値Ｐ＿ｌｉｍｉｔを決定するため、送信相手局におけるシステム容量に応じた送信信号の送信を行うことができるとともに自装置におけるシステム容量を有効利用することができる。
【０１２１】
（実施の形態９）
図１５は、本発明の実施の形態９に係る送信装置の構成を示すブロック図である。なお、実施の形態９に係る送信装置は、実施の形態１において説明した送信装置１００と同様の基本的構成を有しており、同一の構成要素には同一の参照符号を付し、その説明を省略する。
【０１２２】
図１５に示す送信装置１５００は、図１に示す送信装置１００における送信電力制限値決定部１１２およびランダムアクセス制御部１１８の代わりに、実施の形態３において説明した送信装置５００の送信電力制限値決定部５０２および実施の形態７において説明した送信装置１１００のランダムアクセス制御部１１０２を具備する。
【０１２３】
すなわち、送信装置１５００は、実施の形態３に係る送信装置５００を実施の形態７に係る送信装置１１００に適用したものである。
【０１２４】
このように、実施の形態９によれば、実施の形態７における効果に加えて、受信信号の受信電力値に基づいて送信電力制限値Ｐ＿ｌｉｍｉｔを決定するため、伝搬環境に応じて送信信号の送信電力値Ｐを制御して最適な送信電力値Ｐを選択することができるとともに自装置におけるシステム容量を有効利用することができる。
【０１２５】
（実施の形態１０）
図１６は、本発明の実施の形態１０に係る送信装置の構成を示すブロック図である。なお、実施の形態１０に係る送信装置は、実施の形態１において説明した送信装置１００と同様の基本的構成を有しており、同一の構成要素には同一の参照符号を付し、その説明を省略する。
【０１２６】
図１６に示す送信装置１６００は、実施の形態１において説明した受信信号電力測定部１０６および送信電力制限値決定部１１２の代わりに、受信信号電力測定部１６０２、受信電力値比較部１６０４および送信電力制限値決定部１６０６を具備する。
【０１２７】
受信信号電力測定部１６０２は、復調部１０４からの受信信号の受信電力を常時測定することにより伝搬環境を推定して、各局の受信電力値を生成する。また、送信相手局からの受信信号の受信電力および送信相手局以外の通信局からの受信信号の受信電力を常時測定する。受信電力が測定される受信信号の一例としては、送信相手局およびそれ以外の通信局から送信されてくる共通信号が挙げられる。
【０１２８】
受信電力値比較部１６０４は、受信信号電力測定部１６０２からの各局の受信電力値を用いて、送信相手局の受信電力値をそれ以外の通信局の受信電力値の各々と比較する。また、送信相手局以外の通信局の受信電力値において送信相手局の受信電力値より高いものがあるか否かを示す比較結果を出力する。
【０１２９】
送信電力制限値決定部１６０６は、最大送信電力値取得部１１０からの最大送信電力値Ｐ＿ｍａｘに基づいて、ランダムアクセス制御部１１８における制御のパラメータの一つであり、かつ、変調部１２６によって変調され送信アンテナ１２８を介して送信される送信信号の送信電力値Ｐを制限するために用いられる送信電力制限値Ｐ＿ｌｉｍｉｔを決定する。また、自装置の最大送信電力値Ｐ＿ｍａｘより小さい値を送信電力制限値Ｐ＿ｌｉｍｉｔとして決定する。ここで、この送信電力制限値Ｐ＿ｌｉｍｉｔは、送信装置１６００における送信電力の擬似的な最大値としてみなされ、比較的高い送信電力値Ｐでの送信信号の送信の回避を可能にするものである。
【０１３０】
また、送信電力制限値決定部１６０６は、受信電力値比較部１６０４からの比較結果に基づいて送信電力制限値Ｐ＿ｌｉｍｉｔを変更する。たとえば、送信相手局以外の通信局の受信電力値において送信相手局の受信電力値より高いものがある場合、送信電力制限値Ｐ＿ｌｉｍｉｔを低くする。このようにして、ＮＡＣＫ信号が受信されたと判断されるタイミングを早め、送信相手局の変更を早期に行うことができる。
【０１３１】
このように、実施の形態１０によれば、少なくとも送信相手局を含む複数の通信局からの受信信号の受信電力を測定して、送信相手局以外の通信局の受信電力値において送信相手局の受信電力より高いものがある場合には、ＮＡＣＫ信号を受信したと判断するタイミングが早められるように送信電力制限値Ｐ＿ｌｉｍｉｔを低くするため、伝搬環境が悪いときの送信相手局の変更を早期に行うことができるだけでなく、電力消費量を低減することができるとともに、他の装置への干渉を低減することができる。
【０１３２】
なお、実施の形態１０に係る送信装置１６００は、受信信号電力測定部１６０２および受信電力値比較部１６０４を実施の形態１において説明した送信装置１００に適用したものである。したがって、送信装置１６００は、上記の効果に加えて、実施の形態１と同様の作用効果を実現することができる。
【０１３３】
また、受信信号電力測定部１６０４および受信電力値比較部１６０４を実施の形態２〜９において説明した送信装置４００、５００、６００、９００、１０００、１１００、１４００、１５００のいずれかに適用することも可能である。この場合、送信装置１６００は、上記の効果に加えて、実施の形態２〜９のいずれかと同様の作用効果を実現することができる。
【０１３４】
【発明の効果】
以上説明したように、本発明によれば、電力消費量を低減することができるとともに、他の装置への干渉を低減することができる。
【図面の簡単な説明】
【図１】本発明の実施の形態１に係る送信装置の構成を示すブロック図
【図２】本発明の実施の形態１に係る送信装置におけるランダムアクセス制御部の制御動作の一例を説明するためのフロー図
【図３】本発明の実施の形態１に係る送信装置における動作の一例を説明するための図
【図４】本発明の実施の形態２に係る送信装置の構成を示すブロック図
【図５】本発明の実施の形態３に係る送信装置の構成を示すブロック図
【図６】本発明の実施の形態４に係る送信装置の構成を示すブロック図
【図７】本発明の実施の形態４に係る送信装置におけるランダムアクセス制御部の制御動作の一例を説明するためのフロー図
【図８】本発明の実施の形態４に係る送信装置における動作の一例を説明するための図
【図９】本発明の実施の形態５に係る送信装置の構成を示すブロック図
【図１０】本発明の実施の形態６に係る送信装置の構成を示すブロック図
【図１１】本発明の実施の形態７に係る送信装置の構成を示すブロック図
【図１２】本発明の実施の形態７に係る送信装置におけるランダムアクセス制御部の制御動作の一例を説明するためのフロー図
【図１３】本発明の実施の形態７に係る送信装置における動作の一例を説明するための図
【図１４】本発明の実施の形態８に係る送信装置の構成を示すブロック図
【図１５】本発明の実施の形態９に係る送信装置の構成を示すブロック図
【図１６】本発明の実施の形態１０に係る送信装置の構成を示すブロック図
【図１７】従来の送信装置の構成の一例を示すブロック図
【図１８】従来の送信装置における動作の一例を説明するための図
【図１９】従来の送信装置における動作の他の例を説明するための図
【符号の説明】
１００、４００、５００、６００、９００、１０００、１１００、１４００、１５００、１６００  送信装置
１０６、１６０２  受信信号電力測定部
１０８  初期送信電力値決定部
１１０  最大送信電力値取得部
１１２、４０４、５０２、１６０６  送信電力制限値決定部
１１４  送信回数取得部
１１６  ＡＣＫ／ＮＡＣＫ信号検出部
１１８、６０２、１１０２  ランダムアクセス制御部
１６０４  受信電力値比較部
【図１】
2004297186.tif 000003
【図２】
2004297186.tif 000004
【図３】
2004297186.tif 000005
【図４】
2004297186.tif 000006
【図５】
2004297186.tif 000007
【図６】
2004297186.tif 000008
【図７】
2004297186.tif 000009
【図８】
2004297186.tif 000010
【図９】
2004297186.tif 000011
【図１０】
2004297186.tif 000012
【図１１】
2004297186.tif 000013
【図１２】
2004297186.tif 000014
【図１３】
2004297186.tif 000015
【図１４】
2004297186.tif 000016
【図１５】
2004297186.tif 000017
【図１６】
2004297186.tif 000018
【図１７】
2004297186.tif 000019
【図１８】
2004297186.tif 000020
【図１９】
2004297186.tif 000021